(57)【要約】【課題】従動ローラで遊技媒体を噛み込んでしまうのを確実に防止することができる遊技媒体回収装置を提供する。【解決手段】島設備の延設方向に亘って無端状に懸架されて回動することにより遊技機から排出された遊技球を搬送可能とされるとともに、遊技球の搬送方向に回動する往動部αと当該搬送方向とは逆方向に回動する復動部βとを有した搬送ベルトｃ１と、搬送ベルトｃ１を駆動させるモータＭ１と、搬送ベルトｃ１の一端側に配設され、モータＭ１の駆動力を搬送ベルトｃ１に伝達し得る駆動ローラＰ１と、搬送ベルトｃ１の他端側に配設された従動ローラＰ２と、搬送ベルトｃ１における復動部βの上面に入り込んだ遊技球を当該搬送ベルトｃ１の側方に案内して排出し得る案内手段２６とを具備したものである。【選択図】図３６
2015231441.tif 000002
【特許請求の範囲】
【請求項１】
遊技機が設置可能な島設備の内部に配設され、当該遊技機から排出された遊技媒体を回収可能な遊技媒体回収装置において、
前記島設備の延設方向に亘って無端状に懸架されて回動することにより前記遊技機から排出された遊技媒体を搬送可能とされるとともに、遊技媒体の搬送方向に回動する往動部と当該搬送方向とは逆方向に回動する復動部とを有した搬送ベルトと、
前記搬送ベルトを駆動させる駆動手段と、
前記搬送ベルトの一端側に配設され、前記駆動手段の駆動力を搬送ベルトに伝達し得る駆動ローラと、
前記搬送ベルトの他端側に配設された従動ローラと、
前記搬送ベルトにおける前記復動部の上面に入り込んだ遊技媒体を当該搬送ベルトの側方に案内して排出し得る案内手段と、
を具備したことを特徴とする遊技媒体回収装置。
【請求項２】
前記案内手段は、前記従動ローラが配設された部位の近傍に配設されたことを特徴とする請求項１記載の遊技媒体回収装置。
【請求項３】
前記案内手段は、前記搬送ベルトにおける前記復動部の上面側において当該搬送ベルトの幅方向に亘って延設され、当該搬送ベルトにおける前記復動部の上面に入り込んだ遊技媒体と干渉して側方へ案内し得る板材又はローラから成ることを特徴とする請求項１又は請求項２記載の遊技媒体回収装置。
【請求項４】
前記案内手段は、前記搬送ベルトにおける前記復動部の上面側において遊技媒体の搬送方向に対して所定角度傾斜しつつ延設されたローラから成ることを特徴とする請求項３記載の遊技媒体回収装置。
【請求項５】
前記搬送ベルトを挟んで前記案内手段と反対側の位置に配設され、当該搬送ベルトにおける復動部の下面と当接又は近接して配設された対向ローラを有するとともに、当該対向ローラは、遊技媒体の搬送方向に対して前記案内手段とは反対側に所定角度傾斜しつつ配設されたことを特徴とする請求項４記載の遊技媒体回収装置。
【請求項６】
前記搬送ベルトの延設方向に沿って配設され、当該搬送ベルトにおける往動部の下面を支持する支持手段と、
前記搬送ベルトと支持手段との間に入り込んだ遊技媒体を当該支持手段より下方に落下させ得る落下部と、
を備えるとともに、前記案内手段は、前記落下部から落下して前記搬送ベルトにおける復動部の上面に入り込んだ遊技媒体を側方に案内することを特徴とする請求項１〜５の何れか１つに記載の遊技媒体回収装置。
【請求項７】
前記案内手段で案内された遊技媒体を受けて収容し得る収容手段を具備したことを特徴とする請求項１〜６の何れか１つに記載の遊技媒体回収装置。
【請求項８】
前記収容手段で収容した遊技媒体が所定量以上となったことを検知する検知手段と、
該検知手段で検知されたことを条件として報知する報知手段と、
を具備したことを特徴とする請求項７記載の遊技媒体回収装置。
【発明の詳細な説明】
【技術分野】
【０００１】
本発明は、遊技機が設置可能な島設備の内部に配設され、当該遊技機から排出された遊技媒体を回収可能な遊技媒体回収装置に関するものである。
【背景技術】
【０００２】
パチンコ遊技機やスロットマシンが設置される島設備は、遊技場のホールに設置され、複数の遊技機が横並びに配設されるとともに、それぞれの遊技機に対する電力の供給、及び遊技機で使用される遊技球やメダル（遊技媒体）の供給或いは回収等を行い得るよう構成されている。かかる島設備の内部には、従来より、各遊技機に遊技球を補給し得る遊技媒体補給装置や、各遊技機から排出された遊技球を回収し得る遊技媒体回収装置が配設されていた（例えば、特許文献１参照）。
【先行技術文献】
【特許文献】
【０００３】
【特許文献１】特開２０１１−６７５１５号公報
【発明の概要】
【発明が解決しようとする課題】
【０００４】
上記従来の遊技媒体回収装置においては、島設備内で傾斜して配設された樋から成るものとされ、遊技機から排出された遊技媒体がその自重で流下し得るよう構成されていたので、樋の傾斜角度を確保する必要があり、島設備の高さ寸法が大きくなってしまうという問題があった。そこで、本出願人は、傾斜して配設させる必要がある樋に代えて、島設備の延設方向に配設された搬送ベルトにて遊技媒体を回収させる遊技媒体回収装置を検討するに至った。
【０００５】
しかしながら、搬送ベルトにて遊技媒体を回収する場合、例えば、搬送ベルト（特に、遊技媒体の搬送方向とは逆方向に回動する復動部）の上面に遊技媒体が至ってしまった場合、搬送ベルトの回動に伴って遊技媒体も同方向に移動してしまい、従動ローラの位置まで至ってしまうと当該従動ローラが遊技媒体を噛み込んで動作不良が生じてしまう可能性があった。
【０００６】
本発明は、このような事情に鑑みてなされたもので、従動ローラで遊技媒体を噛み込んでしまうのを確実に防止することができる遊技媒体回収装置を提供することにある。
【課題を解決するための手段】
【０００７】
請求項１記載の発明は、遊技機が設置可能な島設備の内部に配設され、当該遊技機から排出された遊技媒体を回収可能な遊技媒体回収装置において、前記島設備の延設方向に亘って無端状に懸架されて回動することにより前記遊技機から排出された遊技媒体を搬送可能とされるとともに、遊技媒体の搬送方向に回動する往動部と当該搬送方向とは逆方向に回動する復動部とを有した搬送ベルトと、前記搬送ベルトを駆動させる駆動手段と、前記搬送ベルトの一端側に配設され、前記駆動手段の駆動力を搬送ベルトに伝達し得る駆動ローラと、前記搬送ベルトの他端側に配設された従動ローラと、前記搬送ベルトにおける前記復動部の上面に入り込んだ遊技媒体を当該搬送ベルトの側方に案内して排出し得る案内手段とを具備したことを特徴とする。
【０００８】
請求項２記載の発明は、請求項１記載の遊技媒体回収装置において、前記案内手段は、前記従動ローラが配設された部位の近傍に配設されたことを特徴とする。
【０００９】
請求項３記載の発明は、請求項１又は請求項２記載の遊技媒体回収装置において、前記案内手段は、前記搬送ベルトにおける前記復動部の上面側において当該搬送ベルトの幅方向に亘って延設され、当該搬送ベルトにおける前記復動部の上面に入り込んだ遊技媒体と干渉して側方へ案内し得る板材又はローラから成ることを特徴とする。
【００１０】
請求項４記載の発明は、請求項３記載の遊技媒体回収装置において、前記案内手段は、前記搬送ベルトにおける前記復動部の上面側において遊技媒体の搬送方向に対して所定角度傾斜しつつ延設されたローラから成ることを特徴とする。
【００１１】
請求項５記載の発明は、請求項４記載の遊技媒体回収装置において、前記搬送ベルトを挟んで前記案内手段と反対側の位置に配設され、当該搬送ベルトにおける復動部の下面と当接又は近接して配設された対向ローラを有するとともに、当該対向ローラは、遊技媒体の搬送方向に対して前記案内手段とは反対側に所定角度傾斜しつつ配設されたことを特徴とする。
【００１２】
請求項６記載の発明は、請求項１〜５の何れか１つに記載の遊技媒体回収装置において、前記搬送ベルトの延設方向に沿って配設され、当該搬送ベルトにおける往動部の下面を支持する支持手段と、前記搬送ベルトと支持手段との間に入り込んだ遊技媒体を当該支持手段より下方に落下させ得る落下部とを備えるとともに、前記案内手段は、前記落下部から落下して前記搬送ベルトにおける復動部の上面に入り込んだ遊技媒体を側方に案内することを特徴とする。
【００１３】
請求項７記載の発明は、請求項１〜６の何れか１つに記載の遊技媒体回収装置において、前記案内手段で案内された遊技媒体を受けて収容し得る収容手段を具備したことを特徴とする。
【００１４】
請求項８記載の発明は、請求項７記載の遊技媒体回収装置において、前記収容手段で収容した遊技媒体が所定量以上となったことを検知する検知手段と、該検知手段で検知されたことを条件として報知する報知手段とを具備したことを特徴とする。
【発明の効果】
【００１５】
請求項１の発明によれば、搬送ベルトにおける復動部の上面に入り込んだ遊技媒体を当該搬送ベルトの側方に案内して排出し得る案内手段を具備したので、従動ローラで遊技媒体を噛み込んでしまうのを確実に防止することができる。
【００１６】
請求項２の発明によれば、案内手段は、従動ローラが配設された部位の近傍に配設されたので、従動ローラにて噛み込んでしまう可能性が高い遊技媒体のみを側方に排出させることができ、より効率的に従動ローラで遊技媒体を噛み込んでしまうのを防止することができる。
【００１７】
請求項３の発明によれば、案内手段は、搬送ベルトにおける復動部の上面側において当該搬送ベルトの幅方向に亘って延設され、当該搬送ベルトにおける復動部の上面に入り込んだ遊技媒体と干渉して側方へ案内し得る板材又はローラから成るので、簡単な構成にて従動ローラで遊技媒体を噛み込んでしまうのを確実に防止することができる。
【００１８】
請求項４の発明によれば、案内手段は、搬送ベルトにおける復動部の上面側において遊技媒体の搬送方向に対して所定角度傾斜しつつ延設されたローラから成るので、搬送ベルトにおける復動部の上面に入り込んだ遊技媒体をより確実に当該搬送ベルトの側方に案内することができる。
【００１９】
請求項５の発明によれば、搬送ベルトを挟んで案内手段と反対側の位置に配設され、当該搬送ベルトにおける復動部の下面と当接又は近接して配設された対向ローラを有するとともに、当該対向ローラは、遊技媒体の搬送方向に対して案内手段とは反対側に所定角度傾斜しつつ配設されたので、案内手段で遊技媒体を案内する際に受ける力で搬送ベルトが同方向へ移動して蛇行してしまうのを抑制することができる。
【００２０】
請求項６の発明によれば、搬送ベルトの延設方向に沿って配設され、当該搬送ベルトにおける往動部の下面を支持する支持手段と、搬送ベルトと支持手段との間に入り込んだ遊技媒体を当該支持手段より下方に落下させ得る落下部とを備えるとともに、案内手段は、落下部から落下して搬送ベルトにおける復動部の上面に入り込んだ遊技媒体を側方に案内し得るので、駆動ローラ及び従動ローラの何れも遊技媒体を噛み込んでしまうのを確実に防止することができる。
【００２１】
請求項７の発明によれば、案内手段で案内された遊技媒体を受けて収容し得る収容手段を具備したので、案内手段で案内された遊技媒体が搬送ベルトの周囲に飛散してしまうのを防止することができる。
【００２２】
請求項８の発明によれば、収容手段で収容した遊技媒体が所定量以上となったことを検知する検知手段と、検知手段で検知されたことを条件として報知する報知手段とを具備したので、収容手段で収容した遊技媒体が溢れてしまい周囲に飛散してしまうのを防止することができる。
【図面の簡単な説明】
【００２３】
【図１】本発明の実施形態に係る遊技媒体回収装置が適用される島設備を示す全体正面図
【図２】同島設備を示す横断面図（幅方向断面図）
【図３】同島設備における載置手段を示す全体正面図
【図４】同載置手段（載置台が前後方向第１位置にある状態）を示す縦断面図
【図５】同載置手段（載置台が前後方向第２位置にある状態）を示す縦断面図
【図６】同島設備における案内部を示す断面図
【図７】同島設備における操作手段を示す４面図
【図８】同操作手段を示す側面図であって、（ａ）操作手段が係止位置にある状態を示す側面図（ｂ）操作手段が解除位置にある状態を示す側面図
【図９】同操作手段の係止部（載置手段が第２位置にある状態）が被係止部に係止した状態を示す側面図
【図１０】同操作手段の係止部（載置手段が第２位置にある状態）が被係止部に係止した状態を示す正面図
【図１１】同操作手段の係止部（載置手段が第１位置にある状態）が被係止部に係止した状態を示す側面図
【図１２】同操作手段の係止部（載置手段が第１位置にある状態）が被係止部に係止した状態を示す正面図
【図１３】同島設備におけるガタ防止手段を示す３面図
【図１４】同ガタ防止手段が取り付けられた状態の載置手段を示す側面図
【図１５】同ガタ防止手段の操作状態を示す模式図
【図１６】同島設備における載置手段（第１位置にある状態）の側板部と柱部に形成されたストッパとの関係を示す模式図
【図１７】同島設備における載置手段（第２位置にある状態）の側板部と柱部に形成されたストッパとの関係を示す模式図
【図１８】同載置手段における載置台を示す平面図及び背面図
【図１９】図１８におけるＸＩＸ−ＸＩＸ線断面図
【図２０】同島設備における他の載置手段を示す全体正面図
【図２１】同島設備における遊技球回収手段及びメダル回収手段を示す平面図
【図２２】同島設備における遊技球回収手段（遊技媒体回収装置）及びメダル回収手段を示す側面図
【図２３】同島設備における蓋部材を示す３面図
【図２４】同島設備における遊技球案内手段を示す正面図及び側面図
【図２５】同島設備における隔壁部材を示す正面図及び側面図
【図２６】同島設備におけるカバー部材を示す側面図
【図２７】同島設備における遊技球回収手段（遊技媒体回収装置）及び遊技球案内手段、並びにメダル回収手段及びメダル案内手段の位置関係を示す断面図
【図２８】同島設備における遊技球回収手段（遊技媒体回収装置）及びメダル回収手段を示す正面図
【図２９】同島設備における遊技球回収手段（遊技媒体回収装置）及びメダル回収手段を示す平面図
【図３０】同島設備における（ａ）遊技球回収手段（遊技媒体回収装置）（ｂ）メダル回収手段を示す断面図
【図３１】本実施形態に係る遊技球回収手段（遊技媒体回収装置）の駆動ローラを示す正面図及び側面図
【図３２】同遊技球回収手段（遊技媒体回収装置）の従動ローラを示す正面図及び側面図
【図３３】同遊技球回収手段（遊技媒体回収装置）を示す平面図及び正面図
【図３４】同遊技球回収手段（遊技媒体回収装置）の隙間及びローラ部材が形成された部位を示す拡大図
【図３５】同遊技球回収手段（遊技媒体回収装置）の支持手段（孔部が形成された支持手段）を示す３面図
【図３６】同遊技球回収手段（遊技媒体回収装置）の案内手段及び対向ローラ（側面から見た図）を示す断面図
【図３７】同島設備における遊技球回収手段の案内手段及び対向ローラを示す平面図
【図３８】同島設備における遊技球補給手段及びメダル補給手段を示す平面図
【図３９】同島設備における遊技球補給手段及びメダル補給手段を示す断面図
【図４０】同島設備における遊技球補給手段における第１案内手段を示す正面図
【図４１】同島設備におけるメダル補給手段における第２案内手段を示す正面図
【発明を実施するための形態】
【００２４】
以下、本発明の実施形態について図面を参照しながら具体的に説明する。
本実施形態に適用される島設備は、パチンコ遊技店内のホール等、遊技場の床に固定されるもので、図１、２に示すように、遊技球を遊技媒体として使用して遊技するパチンコ遊技機Ｐと、メダルを遊技媒体として使用して遊技するスロットマシンＳ（所謂「パチスロ」と称される遊技機）とから成る遊技機を任意選択的に設置可能とされるとともに、載置手段１と、遊技球回収手段４（遊技媒体回収装置）と、メダル回収手段５と、遊技球案内手段６と、メダル案内手段８と、遊技球補給手段１１と、メダル補給手段１２、操作手段１４とを有して構成されている。なお、図中符号１３は、遊技者が着座するための遊技機用椅子を示している。
【００２５】
本実施形態に適用される島設備は、床面Ｚに固設されたフレーム部Ｆを筐体として構成されており、当該フレーム部Ｆの所定位置には、複数の柱部Ｈ１〜Ｈ５が取り付けられるとともに、その隣接する柱部Ｈの間の部位には、載置台３を有した載置手段１が取り付けられている。かかる載置手段１は、図３〜５に示すように、左右一対の側板部２ａと、当該側板部２ａを連結する下板部２ｃ及び上板部２ｂとから成る枠体２を有し、載置台３が当該枠体２の所定部位に取り付けられて構成されている。
【００２６】
枠体２は、一対の側板部２ａと、一対の側板部２ａの下部を互いに連結する下板部２ｃと、一対の側板部２ａの上部を互いに連結する上板部２ｂとにより略ロ字状に構成されるとともに、載置台３を取り付ける位置には固定板部２ｄが固定されている。かかる固定板部２ｄは、上板部２ｂ及び下板部２ｃと同様、一対の側板部２ａを互いに連結するものとされるとともに、載置台３を前後方向第１位置Ｐｂ（図４参照）と前後方向第２位置Ｓｂ（図５参照）との何れかで固定可能とされている。
【００２７】
より具体的には、本実施形態に係る載置台３は、図１８、１９に示すように、下側板部３ａと上側板部３ｂとを接合（接着等）させて成るもので、所定位置には、一端側に前進位置用ボルト挿通位置ｈ１及び他端側に後退位置用ボルト挿通位置ｈ２がそれぞれ設定された長孔ｈが形成されている。なお、同図中符号ｂは、下側板部３ａの突端部及び上面と、上側板部３ｂの突端部及びその近傍を覆って保護する金属製板材を示している。
【００２８】
そして、固定板部２ｄには、載置台３の前進位置用ボルト挿通位置ｈ１又は後退位置用ボルト挿通位置ｈ２と合致し得るボルト孔がそれぞれ形成されており、図４に示すように、前進位置用ボルト挿通位置ｈ１と固定板部２ｄのボルト孔を合致させつつボルトＢ３を螺合させることにより、載置台３を前後方向第１位置Ｐｂにて固定板部２ｄに固定させ得るとともに、図５に示すように、後退位置用ボルト挿通位置ｈ２と固定板部２ｄのボルト孔を合致させつつボルトＢ３を螺合させることにより、載置台３を前後方向第２位置Ｓｂにて固定板部２ｄに固定させ得るよう構成されている。
【００２９】
すなわち、本実施形態に係る載置台３は、載置された遊技機（パチンコ遊技機Ｐ又はスロットマシンＳ）に応じて前後方向（図３における紙面垂直方向）に移動して所定位置にて固定可能とされており、パチンコ遊技機Ｐが載置された状態の前後方向第１位置Ｐｂ（図４参照）と、スロットマシンＳが載置された状態の前後方向第２位置Ｓｂ（図５参照）との間で移動可能とされるとともに、当該前後方向第１位置Ｐｂの方が前後方向第２位置Ｓｂより前方の位置（遊技者側に突出した位置）に設定されている。
【００３０】
また、載置手段１の枠体２を構成する上板部２ｂは、載置台３に載置された遊技機（パチンコ遊技機Ｐ又はスロットマシンＳ）の上部を支持し得る位置に設定されている。しかして、本実施形態に係る載置手段１は、枠体２に対して載置台３が前後に移動可能とされ、かつ、当該載置台３に載置された遊技機の上部を上板部２ｂにて支持するものとされている。これにより、載置台３上に載置された遊技機（パチンコ遊技機Ｐ又はスロットマシンＳ）を枠体２に対して確実かつ安定して固定することができる。
【００３１】
さらに、載置手段１の枠体２を構成する側板部２ａは、図１６、１７に示すように、柱部（Ｈ１〜Ｈ５）に対して幅寸法が異なる幅狭部２ａａ（幅寸法ｔ１）と幅広部２ａｂ（幅寸法ｔ２）とを有し（具体的には、幅寸法ｔ１＜幅寸法ｔ２）、その幅狭部２ａａと幅広部２ａｂとの間の境界に段部２ａｃが形成されている。そして、側板部２ａにおける幅広部２ａｂは、その幅寸法ｔ２が案内部Ｈ２ａの幅寸法より若干小さく設定されるとともに、幅狭部２ａａには、ガタ防止手段１５が配設されている。
【００３２】
一方、載置手段１が取り付けられる柱部（Ｈ１〜Ｈ５）には、図６に示すように、載置手段１を構成する枠体２の上下方向に対する移動を案内する案内部Ｈ２ａが形成されている。なお、柱部Ｈ２に形成された案内部Ｈ２ａについて説明するが、他の柱部に形成された案内部も同様の構成である。案内部Ｈ２ａは、柱部（Ｈ１〜Ｈ５）の内壁に上下方向に延びて形成された断面コ字状の溝形状から成り、この溝形状に枠体２の側板部２ａが上下方向に移動可能に嵌合されることにより、枠体２の上下方向に対する移動を案内し得るようになっている。しかして、載置台３は、載置された遊技機（載置しようとするパチンコ遊技機Ｐ又はスロットマシンＳ）に応じて柱部（Ｈ１〜Ｈ５）に沿って上下方向に移動可能とされているのである。
【００３３】
また、本実施形態に係る載置台３は、図２に示すように、枠体２と共に上下方向に移動可能とされ、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されている。すなわち、柱部（Ｈ１〜Ｈ５）の内壁には、上下一対のボルト及びナット等から成るボス部Ｂ１、Ｂ２（被係止部）（図１０、１２参照）が突出形成されており、載置台３を上側のボス部Ｂ１に係合することにより、パチンコ遊技機Ｐが載置された状態の第１位置Ｐａにて載置手段１を固定させ得るとともに、載置台３を下側のボス部Ｂ２に係合することにより、スロットマシンＳが載置された状態の第２位置Ｓａにて載置手段１を固定させ得るようになっている。
【００３４】
本実施形態に係る載置手段１には、その下板部２ｃの両端部（左右両端部）にそれぞれ操作手段１４が取り付けられている。かかる操作手段１４は、柱部（Ｈ１〜Ｈ５）に形成されたボス部Ｂ１又はボス部Ｂ２に係止して載置手段１を第１位置Ｐａ又は第２位置Ｓａにて固定させるとともに、所定の操作によって当該係止を解除して当該載置手段１を柱部（Ｈ１〜Ｈ５）に対して上下方向に移動可能とさせ得るものとされている。
【００３５】
より具体的には、操作手段１４は、図７に示すように、下板部２ｃの下面に固定される筐体Ｋと、係止部１４ａと、レバー部１４ｂと、付勢手段としてのコイルスプリング１４ｃとから主に構成されている。係止部１４ａは、金属製板状部材の一端をプレスにて折り曲げして形成して得られた部位から成り、図９〜１２で示すように、ボス部Ｂ１及びボス部Ｂ２と係合し得る弧状の切欠き１４ａａ、１４ａｂを有している。
【００３６】
しかして、本実施形態に係る操作手段１４（具体的には、係止部１４ａが形成された金属製板状部材）は、図８（ａ）に示すように、係止部１４ａをボス部Ｂ１又はボス部Ｂ２（被係止部）に係止させて載置手段１を固定させる係止位置と、図８（ｂ）に示すように、当該係止部１４ａのボス部Ｂ１又はボス部Ｂ２（被係止部）に対する係止を解除する解除位置との間で移動し得るよう構成されている。
【００３７】
レバー部１４ｂは、一端に係止部１４ａが形成された金属製板状部材の他端をプレスにて折り曲げ形成して得られた部位から成り、操作者が把持し、図８（ａ）中矢印方向（左方向）に引っ張り操作可能なものである。そして、かかるレバー部１４ｂに対する引っ張り操作によって、操作手段１４（係止部１４ａが形成された金属製板状部材）は、図８（ａ）で示す係止位置から図８（ｂ）で示す解除位置に移動可能とされている。すなわち、レバー部１４ｂを引っ張り操作することにより、係止部１４ａ及びレバー部１４ｂが形成された金属製板状部材は、筐体Ｋに対して移動し、係止位置から解除位置に至るよう構成されているのである。
【００３８】
筐体Ｋには、下方に突出した突出部１４ｄが固定されており、この突出部１４ｄとレバー部１４ｂとの間には、コイルスプリング１４ｃ（付勢手段）が取り付けられている。すなわち、コイルスプリング１４ｃは、その一端が突出部１４ｄに取り付けられるとともに、他端がレバー部１４ｂに取り付けられており、操作手段１４（係止部１４ａが形成された金属製板状部材）を解除位置（図８（ｂ）参照）から係止位置（図８（ａ）参照）に付勢し得るようになっている。これにより、レバー部１４ｂに対する引っ張り操作によって、操作手段１４（係止部１４ａが形成された金属製板状部材）を係止位置から解除位置に移動させた後、操作する手を緩めれば、操作手段１４（係止部１４ａが形成された金属製板状部材）が自然と（自動的に）解除位置から係止位置に戻るようになっている。
【００３９】
ところで、柱部（Ｈ１〜Ｈ５）におけるボス部Ｂ１及びボス部Ｂ２が形成された部位には、図９〜１２に示すように、載置手段１の柱部（Ｈ１〜Ｈ５）に対する係止を解除するのを規制する規制手段Ｃ１、Ｃ２が取り付けられている。かかる規制手段Ｃ１、Ｃ２は、例えば金属製板状部材をプレスにて折り曲げ加工して得られたもので、操作手段１４の操作（レバー部１４ｂに対する引っ張り操作）を規制し得るよう構成されている。
【００４０】
具体的には、載置手段１を第２位置Ｓａで固定させるべく、操作手段１４の係止部１４ａを下側のボス部Ｂ２に係止させた状態とすると、図９に示すように、係止部１４ａは、柱部（Ｈ１〜Ｈ５）と規制手段Ｃ２との間の隙間に入り込んだ状態とされる。このとき、図１０に示すように、ハッチングで示す規制範囲Ｃ２ａにおいて係止部１４ａと規制手段Ｃ２が重なり合うこととなり、この状態でレバー部１４ｂを引っ張り操作しても、係止部１４ａの移動が規制手段Ｃ２の規制範囲Ｃ２ａによって規制されるようになっている。
【００４１】
また、載置手段１を第１位置Ｐａで固定させるべく、操作手段１４の係止部１４ａを上側のボス部Ｂ１に係止させた状態とすると、図１１に示すように、係止部１４ａは、柱部（Ｈ１〜Ｈ５）と規制手段Ｃ１との間の隙間に入り込んだ状態とされる。このとき、図１２に示すように、ハッチングで示す規制範囲Ｃ１ａ、Ｃ１ｂにおいて係止部１４ａと規制手段Ｃ１が重なり合うこととなり、この状態でレバー部１４ｂを引っ張り操作しても、係止部１４ａの移動が規制手段Ｃ１の規制範囲Ｃ１ａ、Ｃ１ｂによって規制されるようになっている。
【００４２】
しかして、載置手段１が第２位置Ｓａに位置するときは、操作手段１４のレバー部１４ｂを操作しない状態で単に上方に移動させることにより、載置手段１を第１位置Ｐａまで移動させることができる。また、載置手段１が第１位置Ｐａに位置するときは、載置手段１（枠体２）を一旦持ち上げ、係止部１４ａを規制手段Ｃ１の規制範囲Ｃ１ａ、Ｃ１ｂより上方の位置とした後、レバー部１４ｂを引っ張り操作すれば、ボス部Ｂ１との係止が解かれるので、載置手段１を第２位置Ｓａまで移動させることができる。
【００４３】
さらに、本実施形態に係る規制手段Ｃ１には、干渉防止部Ｃ１ｃが一体形成されている。かかる干渉防止部Ｃ１ｃは、規制手段Ｃ１の一部をプレス等にて成形して得られたテーパ状の部位（下方から上方に向かって上り勾配の部位）から成り、載置手段１が上方（上側のボス部Ｂ１）に向かって移動する際、操作手段１４の係止部１４ａと当接して当該係止部１４ａを解除位置（図９、１１中左側）に向かって移動させ得るものである。
【００４４】
具体的には、載置手段１を上方に向かって移動する過程において、係止部１４ａが干渉防止部Ｃ１ｃに至り、解除位置に向かう方向に押圧されるとともに、その状態から更に載置手段１を上方に移動させると、干渉防止部Ｃ１ｃのテーパ面の傾斜角度に応じて係止部１４ａも更に解除位置に向かって移動する。そして、係止部１４ａがボス部Ｂ１の突端よりも解除位置側（図１１中左側）に位置すると、干渉防止部Ｃ１ｃの終端に至るとともに、係止部１４ａがボス部Ｂ１より上方に位置するようになっている。これにより、操作手段１４が上方に移動する際、係止部１４ａにおける切欠き１４ａａ、１４ａｂが形成されない側にボス部Ｂ１が干渉してしまうのを防止することができるとともに、係止部１４ａの切欠き１４ａａ、１４ａｂにてボス部Ｂ１に係止させることができる。
【００４５】
さらに、本実施形態においては、図１４に示すように、載置手段１が所定高さに固定された状態で柱部（Ｈ１〜Ｈ５）との間の隙間（枠体２を構成する側板部２ａと柱部（Ｈ１〜Ｈ５）との間の隙間）により生じるガタを防止するガタ防止手段１５を具備している。すなわち、枠体２を構成する側板部２ａは、既述の如く、その幅寸法が柱部（Ｈ１〜Ｈ５）における案内部Ｈ２ａの幅寸法より小さく設定された幅狭部２ａａを有しており、当該側板部２ａと案内部Ｈ２ａとの間の隙間にガタ防止手段１５が位置しているのである。
【００４６】
より具体的には、本実施形態に係るガタ防止手段１５は、枠体２の側板部２ａに形成されたもので、図１３に示すように、側板部２ａの所定部位（幅狭部２ａａ）に取り付けられる揺動軸１５ｂを中心として揺動可能なアーム部１５ａと、アーム部１５ａに形成されるとともに、操作者が把持し得る把持部１５ａａと、アーム部１５ａに形成された突出部１６と、突出部１６の突端側に形成されたテーパ面から成る楔状部位１６ａとから主に構成されている。
【００４７】
アーム部１５ａ、把持部１５ａａ及び突出部１６は、所定の樹脂材を成形して成る樹脂成形部品から成るものとされている。しかして、突出部１６は、側板部２ａから案内部Ｈ２ａに向かって突出形成されており、その突端側の一部である楔状部位１６ａを枠体２の側板部２ａと柱部（Ｈ１〜Ｈ５）の案内部Ｈ２ａとの間に挿入させることによりガタを防止するよう構成されている。
【００４８】
本実施形態に係るガタ防止手段１５によれば、突出部１６の突端側に形成された楔状部位１６ａを枠体２の側板部２ａと柱部（Ｈ１〜Ｈ５）の案内部Ｈ２ａとの間に挿入させるので、楔効果によって枠体２を柱部（Ｈ１〜Ｈ５）に強固且つ確実に固定させることができ、載置手段１を任意高さで固定させた状態において枠体２に生じるガタをより確実に防止することができる。
【００４９】
特に、本実施形態に係るガタ防止手段１５は、所定の弾性部材（本実施形態においては硬質の樹脂材）を成形して成る（樹脂成形部品から成る）から成るので、楔状部位１６ａを枠体２の側板部２ａと柱部（Ｈ１〜Ｈ５）の案内部Ｈ２ａとの間に挿入させることにより、楔効果に加えて、弾力による復元力（反発力）を付与させることができ、より一層確実に載置手段１を任意高さで固定させた状態において枠体２に生じるガタを防止することができる。なお、所定の樹脂材に代えて、他の弾性部材から成るものとしてもよく、或いは弾性部材に代えて、他の材料から成る部材（所定の金属製部品等）であってもよい。なお、金属製部品から成るものとすれば、弾力による効果について乏しいものの、楔効果をより確実に発揮させることができる。
【００５０】
なお、本実施形態に係る突出部１６は、側板部２ａの所定部位に取り付けられる揺動軸１５ｂを中心として揺動可能なアーム部１５ａに形成されるとともに、図１５に示すように、操作者が把持部１５ａａを把持しつつ当該アーム部１５ａを揺動操作することにより、突出部１６（楔状部位１６ａ）が案内部Ｈ２ａと当接する当接位置（図中２点鎖線で示した位置）と、当該突出部１６（楔状部位１６ａ）が案内部Ｈ２ａから離間した離間位置（図中実線で示した位置）との間で移動可能とされている。
【００５１】
すなわち、載置手段１を柱部（Ｈ１〜Ｈ５）に沿って上下に移動させる際には、突出部１６（楔状部位１６ａ）を離間位置として枠体２の円滑な移動を行わせるとともに、載置手段１を所定位置にて固定させた際（操作手段１４の係止部１４ａをボス部Ｂ１又はボス部Ｂ２に係止させた際）には、アーム部１５ａを揺動操作して突出部１６（楔状部位１６ａ）を当接位置とすることにより、枠体２に生じるガタを防止するのである。なお、突出部１６が当接位置に至る過程において、弾力により撓み得るので、アーム部１５ａの揺動操作をより円滑かつ容易に行わせることができる。
【００５２】
なお、本実施形態に係る島設備は、載置手段１の移動許容範囲を超えて上方へ移動するのを規制（すなわち、載置手段１が第１位置から更に上方に移動してしまうのを規制）するストッパ１７を具備している。かかるストッパ１７は、図６、１６、１７に示すように、柱部Ｈ２に突出形成され、載置手段１が第１位置から更に上方に移動（移動許容範囲を超えて上方へ移動）しようとした際、側板部２ａの所定位置（本実施形態においては段部２ａｃ）に干渉することで当該載置手段１の更なる上方への移動を規制するものとされている。
【００５３】
また、既述したように、本実施形態に係る載置手段１を構成する側板部２ａは、柱部Ｈ２に対して幅寸法が異なる幅狭部２ａａと幅広部２ａｂとを有し、その幅狭部２ａａと幅広部２ａｂとの間の境界に形成された段部２ａｃがストッパ１７と干渉し得るよう構成されている。このストッパ１７は、例えば略円筒状に成形された樹脂製部材から成るものとされており、ボルト等の汎用的な締結手段にて柱部Ｈ２の所定部位（図１６、１７参照）に固定されている。
【００５４】
以上のように、本実施形態に係る載置台３は、パチンコ遊技機Ｐを載置させる際は、固定板部２ｄに対して前後方向第１位置Ｐｂに固定されるとともに、柱部（Ｈ１〜Ｈ５）に対して上側の位置である第１位置Ｐａに固定され、かつ、スロットマシンＳを載置させる際は、固定板部２ｄに対して前後方向第２位置Ｓｂに固定されるとともに、柱部（Ｈ１〜Ｈ５）に対して下側の位置である第２位置Ｓａに固定されるのである。そして、前後方向第１位置Ｐｂの方が前後方向第２位置Ｓｂより前方の位置（遊技者側に突出した位置）に設定されているとともに、第１位置Ｐａの方が第２位置Ｓａより高い位置に設定されている。
【００５５】
また、本実施形態に係る載置手段１は、図１に示すように、１つの載置台３に複数のパチンコ遊技機Ｐ又は複数のスロットマシンＳ（本実施形態においては、２台のパチンコ遊技機Ｐ又は２台のスロットマシンＳ）を載置させるように設定されている。すなわち、載置台３を遊技機が複数台設置できる幅寸法とすることで、１つの載置台３に同種の遊技機（パチンコ遊技機Ｐ又はスロットマシンＳ）を複数設置することができ、島設備に必要とされる柱部の数を低減させることができるのである。なお、本実施形態においては、１つの載置台３に対して同種の遊技機が２台設置されているが、３台以上の同種の遊技機を設置するようにしてもよい。
【００５６】
しかるに、本実施形態に係る島設備においては、同種の遊技機を複数台設置可能な載置手段１に加え、図２０に示すように、遊技機を１台載置可能な載置手段１’（一対の側板部２’ａと、下板部２’ｃ及び上板部２’ｂと、固定板部２’ｄとを有する載置手段１’）が取り付けられている。かかる載置手段１’は、載置台３’の幅寸法が遊技機１台分に設定された点においては幅寸法が遊技機２台分に設定された載置手段１と相違するものの、その他においては、上記した載置手段１と同様の構成及び機能を有するものである。
【００５７】
本実施形態に係る遊技球回収手段４は、本発明の遊技媒体回収装置を構成するものである。この遊技球回収手段４は、パチンコ遊技機Ｐから排出された遊技球を回収するためのもので、図１に示すように、島設備の長手方向に沿って延設された搬送コンベアにて構成されている。かかる遊技球回収手段４は、図２８〜３７に示すように、搬送ベルトｃ１と、搬送ベルトｃ１を駆動させる駆動手段としてのモータＭ１と、搬送ベルトｃ１を無端状に懸架する駆動ローラＰ１及び従動ローラＰ２と、支持手段としての板材ｆと、案内手段２６と、対向ローラ２７とを有して構成されている。
【００５８】
搬送ベルトｃ１は、樹脂部品を長手方向に複数組み合わせた無端状部材から成るもので、図３０（ａ）に示すように、その搬送面には、搬送部ｅ及び孔部ｇが形成されている。そして、パチンコ遊技機Ｐから排出されて搬送ベルトｃ１に至った遊技球ｙは、同図に示すように、その下部が孔部ｇに嵌りつつ当該搬送ベルトｃ１の回動方向に搬送されることとなる。また、搬送ベルトｃ１は、駆動ローラＰ１と従動ローラＰ２とに懸架された状態において、遊技球（遊技媒体）の搬送方向に回動する往動部α（上方に位置する部位）と当該搬送方向とは逆方向に回動する復動部β（下方に位置する部位）とを有している。
【００５９】
駆動ローラＰ１は、搬送ベルトｃ１の一端側に配設され、モータＭ１の駆動力を搬送ベルトｃ１に伝達し得るもので、本実施形態においては、図３１に示すように、周方向に複数の凸部Ｐ１ａが形成されたスプロケットから成る。なお、本実施形態に係る凸部Ｐ１ａは、駆動ローラＰ１の外周面において周方向に亘って２列形成されており、当該駆動ローラＰ１が回転して各凸部Ｐ１ａが搬送ベルトｃ１の孔部ｇに順次嵌合することで、モータＭ１の駆動力が伝達され得るようになっているが、周方向に亘って１列、或いは３列以上形成されたものであってもよい。
【００６０】
従動ローラＰ２は、搬送ベルトｃ１の他端側（駆動ローラＰ１とは反対側）に配設されて駆動ローラＰ１との間で当該搬送ベルトｃ１を懸架させるもので、本実施形態においては、図３２に示すように、側面が平滑な（すなわち、凸部又は凹部等が形成されない）円筒状部材から成る。しかして、搬送ベルトｃ１が回動すると、その往動部αが駆動ローラＰ１に向かって移動するとともに、復動部βが従動ローラＰ２に向かって移動するようになっている。
【００６１】
支持手段としての板材ｆは、図２８、３０、３３に示すように、搬送ベルトｃ１の延設方向に沿って配設され、当該搬送ベルトｃ１における往動部αの下面を支持するためのもので、当該板材ｆの上面ｆａにおいて搬送ベルトｃ１の往動部αが摺動し得るよう構成されている。本実施形態に係る板材ｆは、図３３に示すように、搬送ベルトｃ１の延設方向に亘って複数配設されるとともに、図３４に示すように、隣接する板材ｆの間には隙間２５が形成されている。
【００６２】
かかる隙間２５は、搬送ベルトｃ１（往動部αの下面）と板材ｆの上面ｆａとの間に入り込んだ遊技球（遊技媒体）を当該板材ｆより下方に落下させ得るためのもので、遊技球の外径より大きな寸法の離間部から成る。この隙間２５には、図３３、３４に示すように、搬送ベルトｃ１の下面（往動部αの下面）を支持しつつ回動可能なローラ部材２４（本実施形態においては、搬送ベルトｃ１の幅方向に左右一対）が配設されており、隙間２５に位置する搬送ベルトｃ２の下面を支持し得るようになっている。なお、搬送ベルトｃ１（往動部αの下面）と板材ｆの上面ｆａとの間に入り込んだ遊技球（遊技媒体）は、一対のローラ部材２４の間から下方に落下することとなる。
【００６３】
さらに、本実施形態に係る遊技球回収手段４におけるモータＭ１が配設された一端側には連結ステー２３が形成されており、当該連結ステー２３には、支持手段としての板材ｆ’（図３５参照）が取り付けられる。かかる板材ｆ’は、駆動ローラＰ１が配設された部位の近傍に配設されて、搬送ベルトｃ１における往動部αの下面を支持するためのもので、図３５に示すように、本発明の落下部を構成する複数の孔部ｆ’ａが形成されている。
【００６４】
この孔部ｆ’ａは、板材ｆ’の幅方向及び延設方向に複数形成されており、搬送ベルトｃ１（往動部αの下面）と板材ｆ’の上面ｆａとの間に入り込んだ遊技球（遊技媒体）が駆動ローラＰ１に向かって移動する際、その遊技球を下方に落下させ得るよう構成されている。すなわち、本実施形態において、搬送ベルトｃ１と支持手段（板材ｆ、ｆ’）との間に入り込んだ遊技球（遊技媒体）を当該支持手段より下方に落下させ得る落下部は、隣接する板材ｆの間に形成された隙間２５と、駆動ローラＰ１が配設された部位の近傍に位置する孔部ｆ’ａとから構成されているのである。
【００６５】
案内手段２６は、搬送ベルトｃ１における復動部βの上面に入り込んだ遊技球（遊技媒体）を当該搬送ベルトｃ１の側方（幅方向に向かって外側）に案内して排出し得るもので、図１に示すように、本実施形態においては従動ローラＰ２が配設された部位の近傍に配設されている。より具体的には、案内手段２６は、図３６、３７に示すように、搬送ベルトｃ１における復動部βの上面側において当該搬送ベルトｃ１の幅方向に亘って延設され、当該搬送ベルトｃ１における復動部βの上面に入り込んだ遊技球（遊技媒体）と干渉して側方へ案内し得るローラから成る。なお、案内手段２６は、搬送ベルトｃ１における復動部βの上面に入り込んだ遊技球（遊技媒体）と干渉して側方へ案内し得るものであれば足り、例えばローラに代えて板材としてもよい。
【００６６】
さらに、本実施形態に係る案内手段２６は、同図に示すように、搬送ベルトｃ１における復動部βの上面側において遊技球（遊技媒体）の搬送方向に対して所定角度傾斜しつつ延設されたローラから成る。またさらに、本実施形態においては、搬送ベルトｃ１を挟んで案内手段２６と反対側の位置（搬送ベルトｃ１における復動部βの下面側）に配設され、当該搬送ベルトｃ１における復動部βの下面と当接又は近接して配設された対向ローラ２７を有している。この対向ローラ２７は、案内手段２６と略同一形状のローラから成るとともに、遊技球（遊技媒体）の搬送方向に対して案内手段２６とは反対側に所定角度傾斜しつつ配設されている。
【００６７】
また、本実施形態においては、図３３で示すように、案内手段２６で案内された遊技球（遊技媒体）を受けて収容し得る例えば箱状の収容手段３０と、収容手段３０で収容した遊技球（遊技媒体）が所定量以上となったことを検知するセンサ等から成る検知手段３１と、該検知手段３１で検知されたことを条件として報知する表示手段やスピーカ等から成る報知手段３２とを具備している。
【００６８】
しかして、搬送ベルトｃ１（往動部αの下面）と板材ｆの上面ｆａとの間に入り込んだ遊技球（遊技媒体）は、搬送ベルトｃ１の回動に伴って駆動ローラＰ１側に移動しつつ隙間２５又は孔部ｆ’ａから下方に落下した後、搬送ベルトｃ１の復動部βの上面に至る。その復動部βの上面に落下した遊技球は、搬送ベルトｃ１の回動に伴って従動ローラＰ２側に移動しつつ案内手段２６にて搬送ベルトｃ１の側方に案内され、収容手段３０に収容されることとなる。
【００６９】
メダル回収手段（５ａ、５ｂ）は、それぞれスロットマシンＳから排出されたメダルを回収するためのもので、図１に示すように、島設備の長手方向に沿って延設された一対の搬送コンベアにて構成されている。各メダル回収手段（５ａ、５ｂ）は、図２８〜３０に示すように、搬送ベルトｃ２と、搬送ベルトｃ２を駆動させる駆動手段としてのモータＭ２と、搬送ベルトｃ２を無端状に懸架する駆動ローラＰ３及び従動ローラＰ４とを有して構成されている。
【００７０】
搬送ベルトｃ２は、樹脂部品を長手方向に複数組み合わせた無端状部材から成るもので、図３０（ｂ）に示すように、その搬送面には、搬送部ｅ及び孔部ｇが形成されている。そして、スロットマシンＳから排出されて搬送ベルトｃ２に至ったメダルｑは、当該搬送ベルトｃ２の回動方向に搬送されることとなる。また、搬送ベルトｃ２は、遊技球回収手段４と同様、駆動ローラＰ３と従動ローラＰ４とに懸架された状態において、メダル（遊技媒体）の搬送方向に回動する往動部（上方に位置する部位）と当該搬送方向とは逆方向に回動する復動部（下方に位置する部位）とを有している。なお、遊技球回収手段４と同様、支持手段としての板材ｆは、図２８、３０、３３に示すように、搬送ベルトｃ１の延設方向に沿って配設され、当該搬送ベルトｃ１における往動部αの下面を支持するための板材ｆを有している。
【００７１】
駆動ローラＰ３は、搬送ベルトｃ２の一端側に配設され、モータＭ２の駆動力を搬送ベルトｃ２に伝達し得るもので、遊技球回収手段４の駆動ローラＰ１と同様、周方向に複数の凸部が形成されたスプロケットから成る（図３１参照）。また、従動ローラＰ４は、搬送ベルトｃ２の他端側（駆動ローラＰ３とは反対側）に配設されて駆動ローラＰ３との間で当該搬送ベルトｃ２を懸架させるもので、遊技球回収手段４の従動ローラＰ２と同様、側面が平滑な（すなわち、凸部又は凹部等が形成されない）円筒状部材から成る（図３２参照）。
【００７２】
しかるに、本実施形態に係る遊技球回収手段４及びメダル回収手段（５ａ、５ｂ）は、それぞれ独立した駆動手段としてのモータＭ１、Ｍ２を具備するとともに、それぞれが任意速度で駆動され得るよう構成されている。これにより、遊技球回収手段４の搬送ベルトｃ１の回動速度（搬送速度）とメダル回収手段（５ａ、５ｂ）の搬送ベルトｃ２の回動速度（搬送速度）とを異ならせることができ、例えば遊技球回収手段４の搬送ベルトｃ１の回動速度をそれぞれのメダル回収手段（５ａ、５ｂ）の搬送ベルトｃ２の回動速度より遅く設定することにより、遊技球を確実かつ安定して搬送させることができる。なお、図２９中符号Ｍ１ａ、Ｍ２ａは、モータＭ１、Ｍ２の出力軸を示しており、当該出力軸Ｍ１ａと駆動ローラＰ１、及び出力軸Ｍ２ａと駆動ローラＰ３とが連結され、モータＭ１、Ｍ２の駆動力が搬送ベルトｃ１、ｃ２にそれぞれ伝達され得るようになっている。
【００７３】
ここで、本実施形態においては、図２７に示すように、遊技球回収手段４を構成する搬送コンベアは、島設備のフレームＦａ上に配設されるとともに、メダル回収手段（５ａ、５ｂ）を構成する搬送コンベアは、フレームＦａより下方に位置する島内のフレームＦｂ上に配設されている。すなわち、本実施形態においては、島設備内において、遊技球回収手段４とメダル回収手段（５ａ、５ｂ）とが上下に並設されるとともに、遊技球回収手段４の方がメダル回収手段（５ａ、５ｂ）より上側に位置しているのである。
【００７４】
また、本実施形態に係る遊技球回収手段４は、図２７に示すように、島内の幅方向Ｗに対して略中央で延設されている。すなわち、遊技球回収手段４は、島設備の一方の面に設置された遊技機（例えば、同図に示すように、左側の面に設置されたパチンコ遊技機Ｐ）との間の離間寸法と、他方の面に設置された遊技機（例えば、同図に示すように、右側の面に設置されたスロットマシンＳ）との間の離間寸法とが略同一とされつつ島設備の長手方向に延設されているのである。
【００７５】
さらに、本実施形態に係るメダル回収手段（５ａ、５ｂ）は、島内の幅方向Ｗに対して隅部であって遊技機（パチンコ遊技機Ｐ及びスロットマシンＳ）が設置される位置近傍で延設されており、具体的には、島内の幅方向Ｗに対して一方の隅部（図２７中左側の隅部）で延設されたメダル回収手段５ａと、島内の幅方向Ｗに対して他方の隅部（図２７中右側の隅部）で延設されたメダル回収手段５ｂとを有して構成されている。
【００７６】
遊技球回収手段４の上部には、図２２、２７に示すように、パチンコ遊技機Ｐから排出された遊技球を遊技球回収手段４まで案内する遊技球案内手段６が配設されている。かかる遊技球案内手段６は、図２４に示すように、遊技球の受け面６ｃが形成されたプレス成形部品から成り、受け面６ｃの前方端にて下方に垂下したフランジ部６ａと、受け面６ｃの両側端に形成された壁面６ｂと、受け面６ｃの後方端にて上方に立ち上がった取付部６ｄとを有して構成されている。また、フランジ部６ａ及び取付部６ｄには、それぞれ複数のネジ孔６ａａ、６ｄａが形成されている。
【００７７】
一方、遊技球回収手段４には、図２２、２７に示すように、その側方から上方に向かって延設された側壁部材２２が取り付けられており、当該側壁部材２２の延設端に遊技球案内手段６のフランジ部６ａを係止させつつネジ孔６ａａにネジを挿通させることで、フランジ部６ａを側壁部材２２に固定させ得るとともに、ネジ孔６ｄａにネジを挿通させることで、取付部６ｄを載置台３に固定させ得るようになっている。また、側壁部材２２には、遊技球案内手段６に代えて、隔壁部材２１が取り付けられるようになっている。かかる隔壁部材２１は、図２５に示すように、下部にネジ孔２１ａが形成された板状部材から成り、当該ネジ孔２１ａにネジを挿通させることで側壁部材２２に固定されるよう構成されている。
【００７８】
しかして、遊技球回収手段４におけるパチンコ遊技機Ｐが設置される部位には、遊技球案内手段６が取り付けられるとともに、当該遊技球回収手段４におけるスロットマシンＳが設置される部位（パチンコ遊技機Ｐが設置されない部位）には、隔壁部材２１が取り付けられるようになっている。これにより、パチンコ遊技機Ｐから排出された遊技球は、遊技球案内手段６にて遊技球回収手段４まで案内され、当該遊技球回収手段４で回収されるとともに、隔壁部材２１にて回収された遊技球が周囲に飛散してしまうのを防止できる。なお、遊技球案内手段６は、１つのパチンコ遊技機Ｐに対応した幅寸法とされており、パチンコ遊技機Ｐが隣合って設置された際、遊技球案内手段６が並べて取り付けられるとともに、その離間部にはカバー部材１８（図２６参照）が取り付けられるようになっている。
【００７９】
さらに、本実施形態に係る遊技球回収手段４には、その上部を覆う蓋部材２０が取り付けられている。かかる蓋部材２０は、図２３に示すように、その縁部にプレス加工等にて上方に向かって折り曲げ形成された折り曲げ部２０ａと、取付ピン１９（図２１参照）を挿通させ得る挿通孔２０ｂとが形成された板状の金属製部材から成る。すなわち、遊技球回収手段４には、図２１に示すように、長手方向に対して所定間隔毎に支持フレーム７が形成されており、取付ピン１９にて当該支持フレーム７に蓋部材２０を取り付けることで、当該遊技球回収手段４の上部が蓋部材２０で覆われるようになっている。なお、後述するメダル回収手段（５ａ、５ｂ）の上部に蓋部材２０を取り付けるようにしてもよい。
【００８０】
一方、載置手段１に取り付けられた載置台３は、図１８、２１に示すように、遊技機を載置する部位の近傍に切欠きｋが形成されており、その載置台３に載置されたスロットマシンＳから排出されたメダルをメダル回収手段（５ａ、５ｂ）まで案内するメダル案内手段８が当該切欠きｋに取付可能とされている。かかるメダル案内手段８は、スロットマシンＳから排出されたメダルをメダル回収手段（５ａ、５ｂ）に案内するもので、図２７に示すように、上部に形成された開口部にてメダルを受け得るとともに、そのメダルを下部に形成された開口部から排出させてメダル回収手段（５ａ、５ｂ）に落下させ得るよう構成されている。
【００８１】
なお、スロットマシンＳが載置された載置手段１にパチンコ遊技機Ｐを載置させる場合は、メダル案内手段８を切欠きｋから取り外すとともに、それと対応する位置の遊技球回収手段４における隔壁部材２１に代えて遊技球案内手段６が取り付けられるようになっている。また、パチンコ遊技機Ｐが載置された載置手段１にスロットマシンＳを載置させる場合、遊技球案内手段６に代えて隔壁部材２１が遊技球回収手段４に取り付けられるとともに、メダル案内手段８を切欠きｋに取り付けるものとされている。
【００８２】
本実施形態に適用される島設備の一方の端部（遊技球及びメダルが搬送される側）には、図１に示すように、遊技球揚送手段９及びメダル揚送手段１０がそれぞれ配設されており、遊技球回収手段４で搬送された遊技球を遊技球揚送手段９にて上方に揚送するとともに、メダル回収手段５で搬送されたメダルをメダル揚送手段１０にて上方に揚送し得るよう構成されている。そして、これら遊技球揚送手段９及びメダル揚送手段１０にて揚送された遊技球及びメダルは、それぞれ遊技球補給手段１１及びメダル補給手段１２に至るようになっている。
【００８３】
遊技球補給手段１１及びメダル補給手段１２は、島設備の上部において当該島設備の長手方向に沿って延設されたもので、図３８、３９に示すように、左右に並設された搬送コンベアから成る。すなわち、図３９に示すように、搬送コンベアを構成する本体ｆ１の略中央に仕切り部材ｆ２を取り付けるとともに、当該仕切り部材ｆ２で隔成された同図右側の部位を遊技球を搬送するための遊技球補給手段１１とし、同図左側の部位をメダルを搬送するためのメダル補給手段１２としているのである。
【００８４】
遊技球補給手段１１は、パチンコ遊技機Ｐに遊技球を補給するためのもので、図１に示すように、モータＭ３の出力軸と連結された駆動プーリＰ５と従動プーリＰ６との間に懸架されつつ回動可能な無端状の搬送ベルト１１ａを有して構成されている。また、本体ｆ１の側面（図３８、３９中右側の側面）には、当該図３８、３９に示すように、延設部ｆ３が形成されており、当該延設部ｆ３の縁部には側壁が立設されており、その側壁には、図３８に示すように、複数の開口部ｔ１が形成されている。
【００８５】
かかる開口部ｔ１は、遊技機（パチンコ遊技機Ｐ及びスロットマシンＳ）が設置される部位に対応した位置にそれぞれ形成されており、パチンコ遊技機Ｐが設置される部位に対応した開口部ｔ１には、パチンコ遊技機Ｐに遊技球を案内する第１案内手段Ａ１が取り付け可能とされている。この第１案内手段Ａ１は、図４０に示すように、パチンコ遊技機Ｐまで延設された案内部材Ｄ１（例えば蛇腹状部材）が取り付けられており、延設部ｆ３を転がった遊技球を受け得るとともに、その遊技球を案内部材Ｄ１を介してパチンコ遊技機Ｐまで案内し得るよう構成されている。
【００８６】
メダル補給手段１２は、スロットマシンＳにメダルを補給するためのもので、図１に示すように、モータＭ３の出力軸と連結された駆動プーリＰ５と従動プーリＰ６との間に懸架されつつ回動可能な無端状の搬送ベルト１２ａを有して構成されている。すなわち、遊技球補給手段１１及びメダル補給手段１２は、駆動源としてのモータＭ３を共用しつつそれぞれ独立した搬送ベルト１１ａ、１２ａを有しているのである。なお、遊技球補給手段１１及びメダル補給手段１２のそれぞれにモータ等の駆動源を配設し、搬送ベルト１１ａ、１２ａをそれぞれ回動させるようにしてもよい。
【００８７】
また、本体ｆ１の側面（図３８、３９中左側の側面）には側壁が立設されており、その側壁には、図３８に示すように、複数の開口部ｔ２が形成されている。かかる開口部ｔ２は、遊技機（パチンコ遊技機Ｐ及びスロットマシンＳ）が設置される部位に対応した位置にそれぞれ形成されており、パチンコ遊技機Ｐが設置される部位に対応した開口部ｔ２には、蓋部Ｉが取り付けられるとともに、スロットマシンＳが設置される部位に対応した開口部ｔ２には、スロットマシンＳにメダルを案内する第２案内手段Ａ２が取り付け可能とされている。
【００８８】
この第２案内手段Ａ２は、図４１に示すように、スロットマシンＳまで延設された案内部材Ｄ２（例えば蛇腹状部材）が取り付けられており、振り分け手段Ｅにて振り分けられたメダルを受け得るとともに、そのメダルを案内部材Ｄ２を介してスロットマシンＳまで案内し得るよう構成されている。かかる振り分け手段Ｅは、振り分け板材Ｅａと、通電により作動して振り分け板材Ｅａを上下動させるソレノイドＥｂとを有しており、当該振り分け板材ＥａがソレノイドＥｂの作動により下降（図４１における２点鎖線で示す状態から実線で示す状態に移動）すると、搬送ベルト１２ａに近接し、当該搬送ベルト１２ａにて搬送されるメダルが第２案内手段Ａ２側に至るようになっている。しかして、所望の振り分け手段ＥにおけるソレノイドＥｂを選択的に通電することにより、搬送ベルト１２ａにて搬送される過程のメダルを第２案内手段Ａ２によりスロットマシンＳまで案内して補給することが可能とされている。
【００８９】
上記したように、本実施形態に係る島設備においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機（パチンコ遊技機Ｐ又はスロットマシンＳ）に応じて第１案内手段Ａ１及び第２案内手段Ａ２が遊技球補給手段１１又はメダル補給手段１２の任意位置に設置可能とされている。
【００９０】
しかるに、遊技球補給手段１１にてパチンコ遊技機Ｐに補給された遊技球は、当該パチンコ遊技機Ｐにて遊技媒体として使用された後、遊技球回収手段４にて再び回収されることとなり、島設備内において循環することとなる。また、メダル補給手段１２にてスロットマシンＳに補給されたメダルは、当該スロットマシンＳにて遊技媒体として使用された後、メダル回収手段（５ａ、５ｂ）にて再び回収されることとなり、島設備内において循環することとなる。
【００９１】
上記実施形態に適用される島設備によれば、遊技球回収手段４は、島内の幅方向に対して略中央で延設されるとともに、メダル回収手段（５ａ、５ｂ）は、島内の幅方向に対して隅部であって遊技機が設置される位置近傍で延設されたので、解体することなくパチンコ遊技機Ｐ及びスロットマシンＳのどちらも設置することができるとともに、メダルの円滑且つ確実な回収を図ることができる。すなわち、スロットマシンＳの設置位置の略直下にメダル回収手段（５ａ、５ｂ）が延設されているので、メダル案内手段８におけるメダルの摺動面の傾斜角度が大きく設定でき、遊技球の転がり抵抗と比べて摺動抵抗が大きなメダルを円滑且つ確実に回収させることができるのである。
【００９２】
また、本実施形態に適用されるメダル回収手段（５ａ、５ｂ）は、島内の幅方向に対して一方の隅部と、他方の隅部とのそれぞれで延設されたので、島の幅方向でスロットマシンＳを容易に対向して設置させることができるとともに、メダル回収手段（５ａ、５ｂ）によるメダルの回収量を増大させることができる。さらに、パチンコ遊技機Ｐから排出された遊技球を遊技球回収手段４まで案内する遊技球案内手段６と、スロットマシンＳから排出されたメダルをメダル回収手段（５ａ、５ｂ）まで案内するメダル案内手段８とを具備したので、メダル案内手段８の床面に対する傾斜角度を遊技球案内手段６の床面に対する傾斜角度より大きくすることができ、よりメダルの円滑且つ確実な回収を図ることができる。
【００９３】
またさらに、本実施形態によれば、遊技球回収手段４（又はメダル回収手段（５ａ、５ｂ）の少なくとも一方に配設され、当該遊技球回収手段４（又はメダル回収手段（５ａ、５ｂ）の上部を覆う蓋部材２０を具備したので、解体することなくパチンコ遊技機Ｐ及びスロットマシンＳのどちらも設置することができるとともに、遊技球とメダルとが混ざってしまうのを防止し、且つ、遊技球回収手段４（又はメダル回収手段（５ａ、５ｂ）に異物等が入り込んでしまうのを防止することができる。特に、本実施形態に係る蓋部材２０は、その縁部に上方に向かって折り曲げ形成された折り曲げ部２０ａを有するので、当該蓋部材２０上に落下した遊技球が更に下方に落下してメダル回収手段（５ａ、５ｂ）に至ってしまうのを防止することができる。
【００９４】
なお、本実施形態においては、遊技機を載置可能な載置台３を有するとともに、該載置台３に載置される遊技機に応じて上下方向に移動可能とされ、かつ、所定高さにて固定可能とされた載置手段１を具備したので、パチンコ遊技機Ｐ及びスロットマシンＳを低コストにて任意に設置することができるとともに、島設備を解体することなくパチンコ遊技機Ｐ及びスロットマシンＳのどちらも設置することができる。また、パチンコ遊技機Ｐの設置及びスロットマシンＳの設置を共用し得るので、パチンコ遊技機ＰとスロットマシンＳとを混合させつつそれぞれを規定の設置状態にて容易かつ円滑に設置することができる。
【００９５】
特に、本実施形態に係る載置台３は、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されたので、パチンコ遊技機ＰとスロットマシンＳとを混合させつつそれぞれを規定の設置状態にて円滑かつ確実に設置することができる。
【００９６】
特に、本実施形態において、パチンコ遊技機Ｐの方がスロットマシンＳより上方の位置に載置されたので、パチンコ遊技機ＰとスロットマシンＳとを混合させつつそれぞれを規定の設置状態にて容易かつ円滑に設置することができる。すなわち、島設備に設置される遊技機においては、パチンコ遊技機Ｐに対する操作位置（ハンドル位置）はスロットマシンＳに対する遊技位置（押圧ボタン位置）より高い位置にあり、パチンコ遊技機Ｐの方がスロットマシンＳより上方の位置にて遊技されるので、その遊技位置に応じた規定の設置状態とすることができるのである。
【００９７】
ここで、本実施形態に係る遊技媒体回収装置を構成する遊技球回収手段４によれば、搬送ベルトｃ１と支持手段（板材ｆ、ｆ’）との間に入り込んだ遊技球を当該支持手段より下方に落下させ得る落下部（隙間２５、孔部ｆ’ａ）を備えたので、駆動ローラＰ１で遊技球を噛み込んでしまうのを確実に防止することができる。また、落下部（特に孔部ｆ’ａ）は、駆動ローラＰ１が配設された部位の近傍に配設されたので、駆動ローラＰ１にて噛み込んでしまう可能性が高い遊技球のみを落下させることができ、より効率的に駆動ローラＰ１で遊技球を噛み込んでしまうのを防止することができる。
【００９８】
さらに、落下部は、支持手段（板材ｆ’）に形成された孔部ｆ’ａから成るので、支持手段（板材ｆ’）による搬送ベルトｃ１の往動部αの下面に対する支持を確実に行わせつつ、駆動ローラＰ１で遊技球を噛み込んでしまうのを確実に防止することができる。特に、本実施形態に係る落下部は、支持手段（板材ｆ’）の幅方向及び延設方向に複数形成された孔部ｆ’ａから成るので、遊技球を落下部にて確実に落下させることができ、駆動ローラＰ１で遊技球を噛み込んでしまうのをより確実に防止することができる。
【００９９】
また、支持手段（板材ｆ）は、搬送ベルトｃ１の延設方向に亘って複数配設されるとともに、落下部は、隣接する支持部材（板材ｆ）の間に形成された隙間２５から成るので、支持手段（板材ｆ）に孔等を形成する必要がなく、当該支持手段（板材ｆ）の強度を確保しつつ遊技球を確実に落下させることができる。さらに、本実施形態に係る隙間２５には、搬送ベルトｃ１の下面を支持しつつ回動可能なローラ部材２４が配設されたので、隙間２５から遊技球を落下させることができるとともに、ローラ部材２４にて当該搬送ベルトｃ１の回動をより円滑に行わせることができる。
【０１００】
さらに加えて、本実施形態によれば、搬送ベルトｃ１における復動部βの上面に入り込んだ遊技球を当該搬送ベルトｃ１の側方に案内して排出し得る案内手段２６を具備したので、従動ローラＰ２で遊技球を噛み込んでしまうのを確実に防止することができる。また、本実施形態に係る案内手段２６は、従動ローラＰ２が配設された部位の近傍に配設されたので、従動ローラＰ２にて噛み込んでしまう可能性が高い遊技球のみを側方に排出させることができ、より効率的に従動ローラＰ２で遊技球を噛み込んでしまうのを防止することができる。
【０１０１】
またさらに、本実施形態に係る案内手段２６は、搬送ベルトｃ１における復動部βの上面側において当該搬送ベルトｃ１の幅方向に亘って延設され、当該搬送ベルトｃ１における復動部βの上面に入り込んだ遊技球と干渉して側方へ案内し得るローラ（又は板材）から成るので、簡単な構成にて従動ローラＰ２で遊技球を噛み込んでしまうのを確実に防止することができる。特に、案内手段２６は、搬送ベルトｃ１における復動部βの上面側において遊技球の搬送方向に対して所定角度傾斜しつつ延設されたローラから成るので、搬送ベルトｃ１における復動部βの上面に入り込んだ遊技球をより確実に当該搬送ベルトｃ１の側方に案内することができる。
【０１０２】
さらに、本実施形態によれば、搬送ベルトｃ１を挟んで案内手段２６と反対側の位置に配設され、当該搬送ベルトｃ１における復動部βの下面と当接又は近接して配設された対向ローラ２７を有するとともに、当該対向ローラ２７は、遊技球の搬送方向に対して案内手段２６とは反対側に所定角度傾斜しつつ配設されたので、案内手段２６で遊技球を案内する際に受ける力で搬送ベルトｃ１が同方向へ移動して蛇行してしまうのを抑制することができる。
【０１０３】
特に、本実施形態によれば、案内手段２６に加えて、搬送ベルトｃ１の延設方向に沿って配設され、当該搬送ベルトｃ１における往動部αの下面を支持する支持手段（板材ｆ、ｆ’）と、搬送ベルトｃ１と支持手段（板材ｆ、ｆ’）との間に入り込んだ遊技球を当該支持手段（板材ｆ、ｆ’）より下方に落下させ得る落下部（隙間２５、孔部ｆ’ａ）とを備えるとともに、案内手段２６は、落下部（隙間２５、孔部ｆ’ａ）から落下して搬送ベルトｃ１における復動部βの上面に入り込んだ遊技球を側方に案内し得るので、駆動ローラＰ１及び従動ローラＰ２の何れも遊技球を噛み込んでしまうのを確実に防止することができる。
【０１０４】
また、本実施形態においては、案内手段２６で案内された遊技球を受けて収容し得る収容手段３０を具備したので、案内手段２６で案内された遊技球が搬送ベルトｃ１の周囲に飛散してしまうのを防止することができる。さらに、本実施形態においては、収容手段３０で収容した遊技球が所定量以上となったことを検知する検知手段３１と、検知手段３１で検知されたことを条件として報知する報知手段３２とを具備したので、収容手段３０で収容した遊技球が溢れてしまい周囲に飛散してしまうのを防止することができる。
【０１０５】
以上、本実施形態について説明したが、本発明はこれに限定されるものではなく、適用される島設備の載置手段１について、遊技機を載置可能とされるとともに載置される遊技機に応じて上下方向に移動して所定高さに固定可能な載置台３を有するものであれば足り、例えば第１位置と第２位置との間の他、他の位置にも移動可能な載置台を有するものとしてもよい。なお、本実施形態に係る載置台３は、載置される遊技機に応じて前後方向に移動して所定位置にて固定可能とされているが、前後方向に移動せず、専ら上下方向に移動して所定高さに固定可能なものとしてもよい。
【０１０６】
また、本実施形態においては、遊技媒体回収装置としての遊技球回収手段４に落下部（隙間２５、孔部ｆ’ａ）、案内手段２６及び対向ローラ２７が形成されているが、メダル回収手段（５ａ、５ｂ）に当該落下部、案内手段及び対向ローラを取り付け、これを本発明に係る遊技媒体回収装置として機能させることで、駆動ローラＰ３又は従動ローラＰ４でメダルを噛み込んでしまうのを防止するものとしてもよい。さらに、遊技球補給手段１１及びメダル補給手段１２は、上記実施形態のものに限定されず、他の形態のものとしてもよく、或いは遊技機に対する遊技球又はメダルの何れか一方若しくは両方の補給を作業員が手作業にて行うものとしてもよい。なお、一つの島設備にパチンコ遊技機Ｐのみ設置された場合は、遊技機回収手段４を定期的に動作（間欠動作等）させるとともに、スロットマシンＳのみ設置された場合は、メダル回収手段（５ａ、５ｂ）を定期的に動作（間欠動作等）させるよう構成するのが好ましい。
【産業上の利用可能性】
【０１０７】
島設備の延設方向に亘って無端状に懸架されて回動することにより遊技機から排出された遊技媒体を搬送可能とされるとともに、遊技媒体の搬送方向に回動する往動部と当該搬送方向とは逆方向に回動する復動部とを有した搬送ベルトと、搬送ベルトを駆動させる駆動手段と、搬送ベルトの一端側に配設され、駆動手段の駆動力を搬送ベルトに伝達し得る駆動ローラと、搬送ベルトの他端側に配設された従動ローラと、搬送ベルトにおける復動部の上面に入り込んだ遊技媒体を当該搬送ベルトの側方に案内して排出し得る案内手段とを具備した遊技媒体回収装置であれば、外観形状が異なるもの或いは他の機能が付加されたもの等にも適用することができる。
【符号の説明】
【０１０８】
１  載置手段
２  枠体
３  載置台
４  遊技球回収手段（遊技媒体回収装置）
５  メダル回収手段
６  遊技球案内手段
７  支持フレーム
８  メダル案内手段
９  遊技球揚送手段
１０  メダル揚送手段
１１  遊技球補給手段
１２  メダル補給手段
１３  遊技機用椅子
１４  操作手段
１５  ガタ防止手段
１６  突出部
１７  ストッパ
１８  カバー部材
１９  係止手段
２０  蓋部材
２１  隔壁部材
２２  側壁部材
２３  連結ステー
２４  ローラ部材
２５  隙間（落下部）
２６  案内手段
２７  対向ローラ
３０  収容手段
３１  検知手段
３２  報知手段
ｃ１、ｃ２  搬送ベルト
Ｐ１  駆動ローラ
Ｐ２  従動ローラ
ｆ、ｆ’  板材（支持手段）
ｆ’ａ  孔部（落下部）
Ｐ  パチンコ遊技機
Ｓ  スロットマシン
【図１】
2015231441.tif 000003
【図２】
2015231441.tif 000004
【図３】
2015231441.tif 000005
【図４】
2015231441.tif 000006
【図５】
2015231441.tif 000007
【図６】
2015231441.tif 000008
【図７】
2015231441.tif 000009
【図８】
2015231441.tif 000010
【図９】
2015231441.tif 000011
【図１０】
2015231441.tif 000012
【図１１】
2015231441.tif 000013
【図１２】
2015231441.tif 000014
【図１３】
2015231441.tif 000015
【図１４】
2015231441.tif 000016
【図１５】
2015231441.tif 000017
【図１６】
2015231441.tif 000018
【図１７】
2015231441.tif 000019
【図１８】
2015231441.tif 000020
【図１９】
2015231441.tif 000021
【図２０】
2015231441.tif 000022
【図２１】
2015231441.tif 000023
【図２２】
2015231441.tif 000024
【図２３】
2015231441.tif 000025
【図２４】
2015231441.tif 000026
【図２５】
2015231441.tif 000027
【図２６】
2015231441.tif 000028
【図２７】
2015231441.tif 000029
【図２８】
2015231441.tif 000030
【図２９】
2015231441.tif 000031
【図３０】
2015231441.tif 000032
【図３１】
2015231441.tif 000033
【図３２】
2015231441.tif 000034
【図３３】
2015231441.tif 000035
【図３４】
2015231441.tif 000036
【図３５】
2015231441.tif 000037
【図３６】
2015231441.tif 000038
【図３７】
2015231441.tif 000039
【図３８】
2015231441.tif 000040
【図３９】
2015231441.tif 000041
【図４０】
2015231441.tif 000042
【図４１】
2015231441.tif 000043